(57)【特許請求の範囲】
【請求項１】
開口部が形成された屋根部と、
前記屋根部に収納された複数のワイヤを前記開口部に張り渡すように案内するガイド手段と、
前記屋根部に収納された屋根材を前記ワイヤに沿って移動させて展開収納し前記開口部を開閉する開閉手段と、
を有する、屋根構造。
【請求項２】
前記屋根材には、前記ワイヤと交差する方向へ延出された屋根ケーブルが連結されており、
前記屋根ケーブルの両端部には、前記屋根ケーブルに張力を付与する張力装置が設けられている、
請求項１に記載の屋根構造。
【請求項３】
前記ガイド手段は、前記開口部の対向辺に設けられたガイドレールと、前記ガイドレールを走行する架台と、を備え、
前記屋根材は、前記屋根部に配置された収納レールに沿って移動する複数の吊金具と、前記吊金具に回転可能に連結された複数のリンク材と、前記リンク材に取付けられ展開して前記開口部を閉じる膜材と、を備え、
前記開閉手段は、前記吊金具に設けられ前記ワイヤを把持するグリップと、前記架台に取付けられ前記ワイヤが巻き取られた巻取装置と、を備えた、
請求項１又は２に記載の屋根構造。
【発明の詳細な説明】
【技術分野】
【０００１】
本発明は、開閉可能な屋根構造に関する。
【背景技術】
【０００２】
従来技術として、特許文献１には、屋根骨組に架け渡されたケーブルワイヤをガイド材として屋根膜材が展開又は折り畳まれることにより、屋根面が開閉自在とされた膜構造建築物が開示されている。
【先行技術文献】
【特許文献】
【０００３】
【特許文献１】特開２００４−９２２６１号公報
【発明の概要】
【発明が解決しようとする課題】
【０００４】
特許文献１に記載の膜構造建築物では、屋根膜材の折り畳み収納状態時、すなわち屋根面の開状態時に、屋根骨組にケーブルワイヤが架け渡されたままとなっているため、屋根面を完全な開放状態とすることができない。
【０００５】
本発明は上記事実を考慮し、ワイヤを残すことなく開口部を開放することのできる屋根構造を提供することを目的とする。
【課題を解決するための手段】
【０００６】
本発明の請求項１に係る屋根構造は、開口部が形成された屋根部と、前記屋根部に収納された複数のワイヤを前記開口部に張り渡すように案内するガイド手段と、前記屋根部に収納された屋根材を前記ワイヤに沿って移動させて展開収納し前記開口部を開閉する開閉手段と、を有する。
【０００７】
上記構成によれば、ガイド手段によって複数のワイヤを開口部に張り渡すように案内し、開閉手段によってワイヤに沿って屋根材を移動させて展開することにより、開口部を閉じる。つまり、開口部の開放時には、ワイヤ及び屋根材が屋根部に収納されているため、開口部内にワイヤを残すことなく開口部を開放することができる。
【０００８】
本発明の請求項２に係る屋根構造は、請求項１に記載の屋根構造であって、前記屋根材には、前記ワイヤと交差する方向へ延出された屋根ケーブルが連結されており、前記屋根ケーブルの両端部には、前記屋根ケーブルに張力を付与する張力装置が設けられている。
【０００９】
上記構成によれば、屋根材を展開した後、張力装置で屋根ケーブルに張力を付与する。これにより、例えば開口部及び屋根部を鞍型形状とした場合、屋根材にも張力が付与される。このため、開口部を閉じる屋根材を張力屋根とすることができ、雨風による屋根材のバタつきを抑制することができる。
【００１０】
本発明の請求項３に係る屋根構造は、請求項１又は２に記載の屋根構造であって、前記ガイド手段は、前記開口部の対向辺に設けられたガイドレールと、前記ガイドレールを走行する架台と、を備え、前記屋根材は、前記屋根部に配置された収納レールに沿って移動する複数の吊金具と、前記吊金具に回転可能に連結された複数のリンク材と、前記リンク材に取付けられ展開して前記開口部を閉じる膜材と、を備え、前記開閉手段は、前記吊金具に設けられ前記ワイヤを把持するグリップと、前記架台に取付けられ前記ワイヤが巻き取られた巻取装置と、を備えている。
【００１１】
上記構成によれば、巻取装置が取り付けられた架台がガイドレールを走行することにより、巻取装置に巻き取られたワイヤが開口部に張り渡される。また、屋根部に配置された収納レールに沿って移動する複数の吊金具に、膜材が取り付けられたリンク材が連結されている。これにより、吊金具に設けられたグリップを開閉してワイヤを把持させ、巻取装置によってワイヤを巻き取って行くことで、吊金具が繰り出されてリンク材と共に膜材が展開し、開口部を閉じることができる。
【発明の効果】
【００１２】
本発明によれば、ワイヤを残すことなく開口部を開放することのできる屋根構造を提供することができる。
【図面の簡単な説明】
【００１３】
【図１】（Ａ）〜（Ｄ）は本発明の実施形態に係る屋根構造における、屋根材を展開する工程を示す平面図である。
【図２】本発明の実施形態に係る屋根構造における、屋根材の展開途中の状態を示す斜視図である。
【図３】本発明の実施形態に係る屋根構造における、屋根材の展開完了状態を示す斜視図である。
【発明を実施するための形態】
【００１４】
本発明の実施形態に係る屋根構造の一例について、図１〜図３に従って説明する。図１（Ａ）に示すように、本実施形態の屋根構造１０は、中央部に矩形状の開口部１２が形成された矩形状の屋根部１４を備えている。
【００１５】
開口部１２の周縁部であって、屋根部１４の長手方向両端部（図１（Ａ）における左右端部）には、複数のワイヤ１６が収納されている。また、開口部１２の短手方向両端部、すなわち対向辺の両側には、ガイド手段１８が設けられている。
【００１６】
ガイド手段１８は、図２、図３に示すように、開口部１２の対向辺に沿って延びる２本のガイドレール２０と、ガイドレール２０を走行する複数の架台２２と、を備えている。また、架台２２には、開口部１２の開閉手段を構成する巻取装置２４がそれぞれ取付けられている。
【００１７】
２本のガイドレール２０に沿ってそれぞれ移動する一対の巻取装置２４には、ワイヤ１６の一端及び他端がそれぞれ巻き取られている。このため、巻取装置２４が取り付けられた架台２２がガイドレール２０上を走行することにより、図１（Ｂ）に示すように、ワイヤ１６が開口部１２に張り渡されるように案内される。なお、巻取装置２４を回転させることにより、ワイヤ１６は巻き取り及び繰り出し可能とされている。
【００１８】
また、開口部１２の周縁部であって、屋根部１４の短手方向一端部（図１（Ａ）における上端部）には、屋根材２６が収納されている。屋根材２６は、図２、図３に示すように、複数の吊金具２８と、吊金具２８に連結された複数のリンク材３０と、リンク材３０に取付けられた膜材３２と、を備えている。
【００１９】
屋根部１４には、所定の間隔で収納レール３４が配置されており、吊金具２８にそれぞれ形成された貫通孔２８Ａに収納レール３４が挿通されている。これにより、吊金具２８が収納レール３４に沿って移動可能に保持されている。なお、収納レール３４の先端部には、吊金具２８を開口部１２側へ押し出す押出機構４０が設けられている。
【００２０】
また、吊金具２８の貫通孔２８Ａの上部には、開口部１２の開閉手段を構成するグリップ２８Ｂが設けられている。グリップ２８Ｂは、図示しない開閉装置によって開閉制御され、ワイヤ１６を把持可能とされている。
【００２１】
リンク材３０は、膜材３２を支持するフレーム部材であって、一端が第１リンクピン３６Ａによって吊金具２８に回転可能に連結されている。また、隣接するリンク材３０の他端同士は、第２リンクピン３６Ｂによって互いに回転可能に連結されている。なお、吊金具２８が収納レール３４に保持されている際、リンク材３０は折り畳まれてそれぞれ垂れ下がった状態で収納されている。
【００２２】
第１リンクピン３６Ａ及び第２リンクピン３６Ｂには膜材３２が吊設されており、リンク材３０の下面が膜材３２によって覆われている。吊金具２８が収納レール３４に保持されている際、膜材３２は折り畳まれて収納されている。
【００２３】
また、第１リンクピン３６Ａには、ワイヤ１６と交差する方向へ延出された屋根ケーブル３８が連結されている。屋根ケーブル３８は、並列するリンク材３０の第１リンクピン３６Ａ同士を繋いで、屋根部１４の長手方向両端部（図１（Ａ）における左右端部）まで延出されている。
【００２４】
また、屋根ケーブル３８の両端部には、図１に示すように、ジャッキ等の張力装置４２が設けられている。張力装置４２は、屋根ケーブル３８とともに移動可能とされており、所定位置に至ると屋根部１４に設けられた図示しないチャックによって把持され、屋根ケーブル３８に張力が付与可能とされている。
【００２５】
次に、本発明の実施形態に係る屋根構造における、屋根材２６の展開工程の一例について説明する。
【００２６】
図１（Ａ）に示すように、展開前の屋根材２６は屋根部１４の短手方向一端部に収納されており、複数のワイヤ１６も屋根部１４の長手方向両端部に収納されている。このため、屋根部１４の開口部１２内にはワイヤ１６及び屋根材２６が存在せず、開口部１２が開放されている。
【００２７】
屋根材２６を展開するには、まず、ガイド手段１８によって、図１（Ｂ）に示すようにワイヤ１６を開口部１２に張り渡す。具体的には、図２に示すように、ガイドレール２０に沿って架台２２を走行させることにより、一対の巻取装置２４を収納レール３４が配置された所定の位置まで移動させる。
【００２８】
このとき、ワイヤ１６は、張力が付与された状態で巻取装置２４に巻き取られており、ワイヤ１６の一端が収納レール３４の先端部の上部に間を空けて重なる位置まで案内される。
【００２９】
次に、開閉手段によって、図１（Ｃ）に示すように屋根材２６をワイヤ１６に沿って移動させて展開する。具体的には、まず、収納レール３４に保持されている吊金具２８を、押出機構４０によってワイヤ１６へと押し出す。このとき、押し出された先頭の吊金具２８のグリップ２８Ｂを開閉制御することで、グリップ２８Ｂによってワイヤ１６を把持する。なお、先頭及び最後尾の吊金具２８以外の吊金具２８のグリップ２８Ｂは、ワイヤ１６を把持する必要はなく、落下しないようにワイヤ１６に移動可能に保持されていればよい。
【００３０】
そして、巻取装置２４を一定方向（図２における時計回り）に回転させることにより、ワイヤ１６を対向辺側（図２における左側）に巻き取り、複数の吊金具２８を対向辺側へ順に移動させる。
【００３１】
吊金具２８が移動されていくと、吊金具２８に連結された複数のリンク材３０がワイヤ１６に沿って順に展開する。このとき、リンク材３０に取付けられている膜材３２もリンク材３０と共に展開する。
【００３２】
先頭の吊金具２８が開口部１２の対向辺に到達すると、図１（Ｄ）、図３に示すように、開口部１２の全面が膜材３２によって覆われ、開口部１２が閉じられる。その後、図３における右側の巻取装置２４のみを、逆方向（図３における反時計回り）に回転させることにより、リンク材３０及び膜材３２に張力を付与する。さらに、張力装置４２によって屋根ケーブル３８にも張力を付与する。
【００３３】
以上の工程により、屋根材２６が展開されて開口部１２が閉じられる。なお、閉じられた開口部１２を再び開放する場合には、上記の展開工程とは逆の手順を行うことにより、屋根材２６を収納する。
【００３４】
本実施形態によれば、ガイド手段１８によって複数のワイヤ１６を開口部１２に張り渡らせ、開閉手段によってワイヤ１６に沿って屋根材２６を移動させて展開することにより、開口部１２を閉じる。つまり、開口部１２の開放時には、ワイヤ１６及び屋根材２６が屋根部１４に収納されているため、開口部１２内にワイヤ１６を残すことなく開口部１２を開放することができる。
【００３５】
また、屋根材２６を展開した後、巻取装置２４によってリンク材３０及び膜材３２に張力を付与し、張力装置４２によって屋根ケーブル３８に張力を付与する。このため、開口部１２を閉じる屋根材２６を張力屋根とすることができ、雨風による屋根材２６のバタつきを抑制することができる。
【００３６】
なお、本発明について実施形態の一例を説明したが、本発明はかかる実施形態に限定されるものではなく、本発明の範囲内にて他の種々の実施形態が可能である。
【００３７】
例えば、上記実施形態では、屋根部１４の短手方向一端部に屋根材２６が収納され、開口部１２の対向辺へ向かって屋根材２６を移動させて展開していた。しかし、屋根材２６を屋根部１４の短手方向両端部に収納し、対向辺の両側から開口部１２の中央に向かってそれぞれ屋根材２６を移動させてもよい。
【００３８】
その場合、上記の巻取装置２４やワイヤ１６、収納レール３４等と同様の構成を対向辺側にも配置し、上記工程と同様の工程により対向辺側から屋根材２６を展開する。そして、両側から移動してきた吊金具２８の先頭同士を、開口部１２の中央部で召し合わせ、互いに固定する。
【００３９】
また、上記実施形態では、開閉手段として吊金具２８のグリップ２８Ｂ、及び巻取装置２４を備えており、グリップ２８Ｂでワイヤ１６を把持してワイヤ１６を巻取装置２４で巻き取ることにより、吊金具２８をワイヤ１６に沿って移動させていた。しかし、吊金具２８に駆動機構を設けてワイヤ１６上を自走させることにより、吊金具２８をワイヤ１６に沿って移動させてもよい。
【００４０】
また、ガイド手段１８としてガイドレール２０と架台２２とを備えていたが、ワイヤ１６を開口部１２に張り渡すように案内することができる構成であれば、ガイドレール２０と架台２２には限られない。さらに、屋根材２６として吊金具２８、リンク材３０、及び膜材３２を備えていたが、ワイヤ１６上を移動して開口部１２を覆うことができる構成であれば、吊金具２８、リンク材３０、及び膜材３２には限られない。
【００４１】
また、開口部１２及び屋根部１４の形状は矩形状とされていたが、楕円形状又は鞍型形状等であってもよい。開口部１２及び屋根部１４を鞍型形状とした場合、張力装置４２によって屋根ケーブル３８に張力を付与することにより、リンク材３０及び膜材３２にも張力が付与される。このため、巻取装置２４によってリンク材３０及び膜材３２に張力を付与する必要はない。
【符号の説明】
【００４２】
１０   屋根構造
１２   開口部
１４   屋根部
１６   ワイヤ
１８   ガイド手段
２０   ガイドレール
２２   架台
２４   巻取装置
２６   屋根材
２８Ｂ グリップ
２８   吊金具
３０   リンク材
３２   膜材
３４   収納レール
３８   屋根ケーブル
４２   張力装置
【図１】
0006383638.tif 000002
【図２】
0006383638.tif 000003
【図３】
0006383638.tif 000004